(57)【要約】      （修正有）【課題】組立て工程が単純で、生産性が実質的に向上されるコネクタハウジングアセンブリおよび充電ソケットコネクタを提供する。【解決手段】コネクタハウジングアセンブリは、接続端子２１０を支持するように構成されたハウジング１００と、ハウジング１００のチャンバ１３０内に収容されたロックと、を備える。ロックは、ハウジング１００内に可動に設置されると共に、ロック前位置と最終ロック位置との間で移動されるように適合される。ロックに、ロックが最終ロック位置に移動されたときに接続端子２１０をロックするように構成されたブロッキング構造３１０が設けられる。ハウジング１００に、チャンバ１３０と連通した操作口１１２が設けられ、ロックは、操作口１１２を通じてチャンバ１３０に挿入された工具によって押されて、ロック前位置と最終ロック位置との間を移動する。【選択図】図６
0003235194.tif 000002
【実用新案登録請求の範囲】
【請求項１】
接続端子（２１０）を支持するように構成されたハウジング（１００）と、
前記ハウジング（１００）のチャンバ（１３０）内に収容されたロック（３００）と、を備え、
前記ロック（３００）は、前記ハウジング（１００）内に可動に設置されると共に、ロック前位置と最終ロック位置との間で移動されるように適合され、
前記ロック（３００）に、前記ロック（３００）が前記最終ロック位置に移動されたときに前記接続端子（２１０）をロックするように構成されたブロッキング構造（３１０）が設けられ、
前記ハウジング（１００）に、前記チャンバ（１３０）と連通した操作口（１１２）が設けられ、前記ロック（３００）は、前記操作口（１１２）を通じて前記チャンバ（１３０）に挿入された工具によって押されて、前記ロック前位置と前記最終ロック位置との間を移動する、コネクタハウジングアセンブリ。
【請求項２】
前記ロック（３００）に、前記操作口（１１２）に対応する操作部（３２０）が設けられ、前記工具は、前記操作部（３２０）を押すことによって前記ロック前位置と前記最終ロック位置との間で移動するように前記ロック（３００）を駆動する、請求項１に記載のコネクタハウジングアセンブリ。
【請求項３】
前記ロック（３００）の前記操作部（３２０）は、前記コネクタハウジングアセンブリの軸方向に沿って前記ハウジング（１００）の前記操作口（１１２）と位置合わせされている、請求項２に記載のコネクタハウジングアセンブリ。
【請求項４】
前記操作部（３２０）は、前記ロック（３００）に設けられたスロット（３２２）を備え、前記工具は、前記操作部（３２０）の前記スロット（３２２）に挿入されるように適合されている、請求項２に記載のコネクタハウジングアセンブリ。
【請求項５】
前記操作部（３２０）は、前記ロック（３００）に形成された突出ブロック（３２１）を備え、前記突出ブロック（３２１）は前記工具と一致するように適合されている、請求項２に記載のコネクタハウジングアセンブリ。
【請求項６】
前記操作部（３２０）は、前記ロック（３００）に形成されかつ互いから間隔をあけた２つの突出ブロック（３２１）を備え、前記工具は、前記２つの突出ブロック（３２１）の間に画定されたスロット（３２２）に挿入されるように適合されている、請求項２に記載のコネクタハウジングアセンブリ。
【請求項７】
前記ハウジング（１００）は、ハウジング台座（１２０）と、前記ハウジング台座（１２０）にかぶせられたカバー（１１０）とを備え、前記チャンバ（１３０）は前記ハウジング台座（１２０）および前記カバー（１１０）によって包囲され、前記操作口（１１２）は前記カバー（１１０）に設けられる、請求項１に記載のコネクタハウジングアセンブリ。
【請求項８】
接続回路が配置されるリードフレーム、をさらに備え、
前記リードフレームおよび前記ロック（３００）は、射出成形によって単一の一体品として形成される、請求項１に記載のコネクタハウジングアセンブリ。
【請求項９】
前記チャンバ（１３０）の気密性を確保するために、前記操作口（１１２）に差し込まれて前記操作口（１１２）を封止するように適合されたブラインドプラグ（４００）をさらに備える、請求項１に記載のコネクタハウジングアセンブリ。
【請求項１０】
前記ハウジング（１００）の前記操作口（１１２）は、前記コネクタハウジングアセンブリの気密性検査チャネルの役目を果たすようにされる、請求項１から９のいずれか一項に記載のコネクタハウジングアセンブリ。
【請求項１１】
請求項１から１０のいずれか一項に記載のコネクタハウジングアセンブリと、
接続端子（２１０）および前記接続端子（２１０）に電気的に接続されたケーブル（２２０）を備える、接続アセンブリ（２００）と、を備え、
前記接続端子（２１０）は前記ハウジング（１００）内に設置され、前記ケーブル（２２０）は前記ハウジング（１００）から外に延びる、充電ソケットコネクタ。
【考案の詳細な説明】
【技術分野】
【０００１】
関連出願の相互参照
本出願は、２０２０年９月２７日に中国国家知識産権局に出願された中国実用新案登録出願第ＣＮ２０２０２２１４９１８１．８号の利益を主張し、同出願の全開示内容は参照により本明細書に取り込まれる。
【０００２】
本考案は、コネクタハウジングアセンブリと、このコネクタハウジングアセンブリを備える充電ソケットコネクタとに関する。
【背景技術】
【０００３】
充電ソケットコネクタは、相手側電気デバイスを充電ソケットコネクタに挿入することにより相手側電気デバイスとの電気接続を実現するために使用される。電気自動車は、外部の充電ガンを充電ソケットコネクタに差し込むことによって充電される。既存の充電ソケットコネクタは、通常、ハウジングおよび内部部品が組み立てられた後にケーブル工場に輸送され、次いでケーブル工場で接続コンポーネントが組み立てられる。ケーブル工場が接続コンポーネントを組み立てる際、ハウジング内に接続コンポーネントを固定するためにハウジングを解体してから、ハウジングおよび内部部品を再び組み立てる必要がある。この種の組立て工程は煩瑣であり、生産能力が低い。
【考案の概要】
【考案が解決しようとする課題】
【０００４】
本考案は、上述された不都合点のうち少なくとも１つの点を克服または緩和するためになされたものである。
【課題を解決するための手段】
【０００５】
本考案の一態様によれば、接続端子を支持するように構成されたハウジングと、ハウジングのチャンバ内に収容されたロックと、を備えるコネクタハウジングアセンブリが提供される。ロックは、ハウジング内に可動に設置されると共に、ロック前位置と最終ロック位置との間で移動されるように適合される。ロックに、ロックが最終ロック位置に移動されたときに接続端子をロックするように構成されたブロッキング構造が設けられる。ハウジングには、チャンバと連通した操作口が設けられ、ロックは、操作口を通じてチャンバに挿入された工具によって押されて、ロック前位置と最終ロック位置との間を移動する。
【０００６】
本考案の例示的実施形態によれば、ロックに、操作口に対応する操作部が設けられ、工具は、操作部を押すことによってロック前位置と最終ロック位置との間で移動するようにロックを駆動する。
【０００７】
本考案の別の例示的実施形態によれば、ロックの操作部は、コネクタハウジングアセンブリの軸方向に沿ってハウジングの操作口と位置合わせされている。
【０００８】
本考案の別の例示的実施形態によれば、操作部は、ロックに設けられたスロットを備え、工具は、操作部のスロットに挿入されるように適合されている。
【０００９】
本考案の別の例示的実施形態によれば、操作部は、ロックに形成された突出ブロックを備え、突出ブロックは工具と一致するように適合されている。
【００１０】
本考案の別の例示的実施形態によれば、操作部は、ロックに形成されかつ互いから間隔をあけた２つの突出ブロックを備え、工具は、２つの突出ブロックの間に画定されたスロットに挿入されるように適合されている。
【００１１】
本考案の別の例示的実施形態によれば、ハウジングは、ハウジング台座と、ハウジング台座の上にかぶせられたカバーとを備え、チャンバはハウジング台座およびカバーによって包囲され、操作口はカバーに設けられる。
【００１２】
本考案の別の例示的実施形態によれば、コネクタハウジングアセンブリは、接続回路が配置されるリードフレームをさらに備える。リードフレームおよびロックは、射出成形によって単一の一体品として形成される。
【００１３】
本考案の別の例示的実施形態によれば、コネクタハウジングアセンブリは、チャンバの気密性を確保するために、操作口に差し込まれて操作口を封止するように適合されたブラインドプラグをさらに備える。
【００１４】
本考案の別の例示的実施形態によれば、ハウジングの操作口は、コネクタハウジングアセンブリの気密性検査チャネルの役目を果たすようにされる。
【００１５】
本考案の別の態様によれば、上記のコネクタハウジングアセンブリと、接続アセンブリとを備える充電ソケットコネクタが提供される。接続アセンブリは、接続端子と、この接続端子に電気的に接続されたケーブルとを備える。接続端子はハウジング内に設置され、ケーブルがハウジングから外に延びる。
【００１６】
本考案のいくつかの例示的実施形態では、接続端子を支持するように構成されたハウジングと、ハウジングのチャンバ内に収容されたロックと、を備えるコネクタハウジングアセンブリが提供される。ロックは、ハウジング内に可動に設置されると共に、ロック前位置と最終ロック位置との間で移動されるように適合され、ロックに、ロックが最終ロック位置に移動されたときに接続端子をロックするように構成されたブロッキング構造が設けられ、ハウジングに、チャンバと連通した操作口が設けられ、ロックは、操作口を通じてチャンバに挿入された工具によって押されて、ロック前位置と最終ロック位置との間を移動する。従来技術と比較すると、本考案のコネクタハウジングアセンブリは、ハウジングおよびロックの組立て後にケーブル工場に輸送される。
ケーブル工場が接続アセンブリを組み立てるときには、接続端子をチャンバに挿入するだけでよく、次いで、操作口を通じてチャンバに挿入された工具を使用してロックを押し、それによりロックが最終ロック位置に移動される。このとき、ブロッキング構造が接続端子をロックし、コネクタハウジングアセンブリの組立てが完了する。上記の組立て工程では、ハウジングを解体する必要がなく、それにより組立て工程を大幅に簡略化し、組立て効率を向上させ、生産能力を実質的に向上させる。
【００１７】
本考案のいくつかの例示的実施形態では、上記のコネクタハウジングアセンブリと接続アセンブリとを備える充電ソケットコネクタが提供される。接続アセンブリは、接続端子と、この接続端子に電気的に接続されたケーブルとを備える。接続端子はハウジング内に設置され、ケーブルがハウジングから外に延びる。本考案では、充電ソケットコネクタの組立て工程が単純であり、生産能力が高い。
【００１８】
本考案の上記および他の特徴は、以下の添付図面を参照しながら例示的実施形態を詳細に説明することにより、より明確になろう。
【図面の簡単な説明】
【００１９】
【図１】本考案の例示的実施形態によるコネクタハウジングアセンブリの説明的斜視図である。
【図２】本考案の例示的実施形態によるコネクタハウジングアセンブリの説明的分解図である。
【図３】本考案の例示的実施形態によるロックの説明的斜視図である。
【図４】図２に示される領域Ａの拡大構造図である。
【図５】本考案の例示的実施形態によるコネクタハウジングアセンブリの上面図である。
【図６】図５のＢ−Ｂ方向に沿ったコネクタハウジングアセンブリの説明的断面図である。
【図７】本考案の例示的実施形態によるコネクタハウジングアセンブリの側面図である。
【図８】図７のＣ−Ｃ方向に沿ったコネクタハウジングアセンブリの説明的断面図である。
【考案を実施するための形態】
【００２０】
本開示の例示的実施形態について、以下で添付図面を参照して詳細に説明する。図面において、同様の参照符号は同様の要素を指す。しかし、本開示は多くの異なる形態で実施されてよく、本明細書に述べられる実施形態に制限されると解釈されるべきではない。それらの実施形態は、本開示が十分で完全なものとなり、本開示の概念を当業者に十分に伝えるように提供される。
【００２１】
以下の詳細な説明では、説明の目的で、開示される実施形態の十分な理解を提供するために、多数の具体的詳細事項が述べられる。しかし、１つまたは複数の実施形態がそれらの具体的詳細事項を用いずに実施されてよいことが明らかであろう。他の例では、よく知られた構造および装置は、図を簡潔にするために模式的に示される。
【００２２】
コンポーネントが別のコンポーネントに「固定される」または「セットされる」と言う場合、それは他方のコンポーネントの上に直接ある場合も、間接的にある場合もあることが留意されるべきである。コンポーネントが別のコンポーネントに「接続される」と言う場合、それは、別のコンポーネントに直接接続される場合も、他方のコンポーネントに間接的に接続される場合もある。
【００２３】
「長さ」、「幅」、「上」、「下」、「前」、「後ろ」、「左」、「右」、「縦」、「横」、「上部」、「下部」、「内側」、「外側」等の語によって示される向きまたは位置の関係は、本考案を説明し、説明を簡潔にする便宜のためだけに、図に示される向きまたは位置の関係に基づいており、装置または要素が特定の向きを有し、特定の向きに構築され、操作されなければならないことを意味するまたは示唆するのではなく、本考案の制限として解釈することはできないことが理解されるべきである。
【００２４】
また、「第１の」および「第２の」という語は、説明の目的でのみ使用され、相対的な重要性を意味するもしくは示唆する、または示される技術的特徴の数を暗黙的に示すものと解釈することはできない。よって、「第１の」および「第２の」と定義される特徴は、１つまたは複数のその特徴を明示的または暗黙的に含むことができる。本考案の説明において、「複数の」は、特に断らない場合、２つ以上を意味する。
【００２５】
本考案の全般的な概念によれば、接続端子を支持するように構成されたハウジングと、ハウジングのチャンバ内に収容されたロックと、を備えるコネクタハウジングアセンブリが提供される。ロックは、ハウジング内に可動に設置されると共に、ロック前位置と最終ロック位置との間で移動されるように適合される。ロックには、ロックが最終ロック位置に移動されたときに接続端子をロックするように構成されたブロッキング構造が設けられる。ハウジングには、チャンバと連通した操作口が設けられ、ロックが、操作口を通じてチャンバに挿入された工具によって押されて、ロック前位置と最終ロック位置との間を移動する。
【００２６】
図１および図２を参照し、また図５および図６を組み合わせると、本考案の実施形態はコネクタハウジングアセンブリを提供し、このコネクタハウジングアセンブリは、接続端子２１０を支持しチャンバ１３０を囲うためのハウジング１００と、チャンバ１３０内に配置されたロック３００とを備える。ロック３００は、チャンバ１３０内で少なくともロック前位置および最終ロック位置を有する。ロック３００は、ハウジング１００に可動に支持され、ロック前位置から最終ロック位置に移動することができる。ロック３００にはブロッキング構造３１０が設けられ、ブロッキング構造３１０は、ロック３００が最終ロック位置に移動したときに接続端子２１０をロックすることにより、接続端子２１０を軸方向で位置決めし、接続端子２１０がチャンバ１３０から引き抜かれることを防止する。
ハウジング１００には、チャンバ１３０と連通した操作口１１２が設けられ、この操作口１１２を通じて工具がチャンバ１３０内に挿入されてロック３００を押し、それによりロック３００を工具によってロック前位置と最終ロック位置との間で切り替えることができる。この実施形態では、工具はねじ回しであり得るが、それに限定されない。実際の状況および具体的な要件に応じて、工具は任意の他の好適な工具でもあってもよく、ここでは制限されない。
【００２７】
従来技術と比較すると、本考案の実施形態のコネクタハウジングアセンブリは、ハウジング１００およびロック３００の組立て後にケーブル工場に輸送される。ケーブル工場が接続端子２１０を組み立てるときには、接続端子２１０をチャンバ１３０に挿入するだけでよく、次いで、操作口１１２を通じてチャンバ１３０に挿入された工具を使用してロック３００を押し、それによりロック３００が最終ロック位置に移動される。このとき、ブロッキング構造３１０が接続端子２１０をロックして、接続端子２１０を軸方向で位置決めし、接続端子２１０がチャンバ１３０から引き抜かれるのを防止し、これによりコネクタハウジングアセンブリの組立てを完了する。上記の組立て工程では、ハウジング１００を解体する必要がなく、それにより組立て工程を大幅に簡略化し、組立て効率を向上させ、生産能力を実質的に向上させる。
【００２８】
さらに、本考案の例示的実施形態では、図３および図６に示されるように、ロック３００の対応する操作口１１２に操作部３２０が設けられる。操作口１１２を通じてチャンバ１３０に挿入された工具で操作部３２０を押すことにより、ロック３００をロック前位置と最終ロック位置との間で切り替えることができる。このようにして、組立て工程を簡略化し、組立て効率を向上させ、生産能力を実質的に向上させる。
【００２９】
さらに、本考案の例示的実施形態では、図３および図６に示されるように、ロック３００の操作部３２０とハウジング１００の操作口１１２とが、コネクタハウジングアセンブリの軸方向に沿って位置合わせされており、そのため、操作口１１２を通じてチャンバ１３０に工具を挿入して操作部３２０を押すことができる。
【００３０】
さらに、本考案の任意選択の実施形態として、操作部３２０は、ロック３００に設けられたスロット３２２を含む。工具は、操作口１１２を通じてチャンバ１３０に挿入され、次いでスロット３２２に挿入される。ロック３００は、工具によって左右に移動することができ、それによりロック３００をロック前位置と最終ロック位置との間で切り替えることができる。
【００３１】
さらに、本考案の任意選択の実施形態として、操作部３２０は、ロック３００に形成された突出ブロック３２１を含み、突出ブロック３２１は工具と一致している。工具が操作口１１２を通じてチャンバ１３０に挿入されて突出ブロック３２１と突き当たった後、ロック３００が工具によって左右に移動される。よって、ロック３００は、ロック前位置と最終ロック位置との間で切り替えることができる。
【００３２】
さらに、本考案の任意選択の実施形態として、図３および図６に示されるように、操作部３２０は、ロック３００に形成されかつ互いから間隔をあけた２つの突出ブロック３２１を含む。工具挿入のためのスロット３２２が、２つの突出ブロック３２１の間に形成される。工具は、操作口１１２を通じてチャンバ１３０に挿入された後にスロット３２２に挿入され、ロック３００を工具によって左右に移動することができる。よって、ロック３００は、ロック前位置と最終ロック位置との間で切り替えることができる。
【００３３】
操作部３２０の構造は、実際の状況および要件に応じて適宜変更されてよく、ここでは特に制限されないことが理解できる。
【００３４】
さらに、本考案の例示的実施形態では、コネクタハウジングアセンブリは、接続回路が配置されるリードフレーム（図示せず）も備える。リードフレームおよびロックは、単一の射出成形品として形成される。この構造では、接続端子２１０はチャンバ１３０内に延び、接続端子２１０は、リードフレーム上の接続回路と電気的に接続され、接続回路は接続端子２１０の充電状態を検出するために使用される。
【００３５】
さらに、本考案の例示的実施形態では、図２および図６に示されるように、ハウジング１００は、ハウジング台座１２０と、ハウジング台座１２０にかぶせられたカバー１１０とを備える。ハウジング台座１２０およびカバー１１０はチャンバ１３０を包囲し、操作口１１２はカバー１１０に配置される。カバー１１０には第１のチャネル１１１も設けられ、ハウジング台座１２０には第２のチャネル１２１が設けられる。接続端子２１０の一端は、第１のチャネル１１１を通ってチャンバ１３０内に延び、次いで第２のチャネル１２１に挿入され、それにより、外部の充電ガンの端子を、第２のチャネル１２１を通じて接続端子２１０に挿入することができる。
接続端子２１０がチャンバ１３０内まで延ばされることが可能で、かつ外部の充電ガンの端子が接続端子２１０に挿入されることが可能である限り、ハウジング１００の構造は実際の要件および状況に応じて適宜変更されてよく、ここでは特に制限されないことが理解できる。
【００３６】
さらに、本考案の例示的実施形態では、図３、図４、および図６に示されるように、ロック３００に、接続端子２１０が通るための端子回避孔３３０が設けられ、端子回避孔３３０の内側壁にブロッキング構造３１０が設けられる。この実施形態では、ブロッキング構造３１０はボスであり得るが、それに限定されない。接続端子２１０には、ブロッキング構造３１０に対応する突合せ部２１１が設けられる。ロック３００が最終ロック位置に移動されると、ブロッキング構造３１０が、ケーブル２２０の近くで突合せ部２１１の側部に突き合わせられ、それにより、接続端子２１０が軸方向に沿って第１のチャネル１１１から引き抜かれることを防止する。
【００３７】
本考案の実施形態のコネクタハウジングアセンブリでは、ロック３００が最初にハウジング台座１２０に置かれ、次いでカバー１１０がハウジング台座１２０にかぶせられ、それにより、ロック３００が、ハウジング台座１２０およびカバー１１０によって形成されるチャンバ１３０に閉じ込められることに留意すべきである。このとき、ロック３００は、チャンバ１３０内でロック前位置にある。ブロッキング構造３１０は、突合せ部２１１を軸方向で回避するように配置され、それにより接続端子２１０が端子回避孔３３０を通ることを可能にする。接続端子２１０は第１のチャネル１１１を通して挿入され、ケーブル２２０から離れる方の接続端子２１０の端部は、第１のチャネル１１１を通してチャンバ１３０内に延ばされ、次いで第２のチャネル１２１内に延ばされる。
最後に、操作口１１２を通して工具がチャンバ１３０に挿入され、次いで工具が、操作口１１２を通してチャンバ１３０に挿入された後にスロット３２２に挿入される。工具を使用してロック３００を押し、それによりブロッキング構造３１０が突合せ部２１１の方へ移動される。ブロッキング構造３１０がケーブル２２０の近くで突合せ部２１１の側部に突き当たると、ロック３００が最終ロック位置に移動される。ロック３００をロック前位置に移動する必要があるときは、ロック３００を工具で押すことにより、ブロッキング構造３１０が突合せ部２１１から離れる方へ移動されて、突合せ部２１１を軸方向で回避する。このとき、ロック３００をロック前位置に移動させ、接続端子２１０を第１のチャネル１１１から引き抜いて接続端子２１０の交換を容易にすることができる。
【００３８】
さらに、本考案の例示的実施形態では、図６に示されるように、第２のチャネル１２１の内側壁に段１２２が設けられ、ケーブル２２０から離れる方の接続端子２１０の端部が段１２２に突き合わせられ、それにより、接続端子２１０を軸方向で位置決めして、接続端子２１０およびケーブル２２０が第２のチャネル１２１の外に延びることを防止することができる。
【００３９】
さらに、本考案の例示的実施形態では、図３、図７、および図８に示されるように、ロック３００にはラッチ３４０も設けられ、ラッチ３４０に対応するラッチスロット１２３が、チャンバ１３０の側壁に設けられる。一実施形態では、ラッチスロット１２３は、ハウジング台座１２０に配置される。ロック３００が最終ロック位置に移動されると、ラッチ３４０がラッチスロット１２３内に留め付けられ、それにより一時的にロック３００を最終ロック位置に固定する。ロック３００がロック前位置に移動されると、ラッチ３４０がスロット１２３から分離される。
【００４０】
さらに、本考案の例示的実施形態では、図２および図６に示されるように、コネクタハウジングアセンブリは、チャンバ１３０の気密性を確保するために操作口１１２に封止されたブラインドプラグ４００も含む。
【００４１】
さらに、本考案の例示的実施形態では、ハウジング１００の操作口１１２は、コネクタハウジングアセンブリの気密性検査チャネルの役目を果たすようにされ、すなわち、操作口１１２を使用してチャンバ１３０の気密性を検出することができる。一実施形態では、操作口１１２のブラインドプラグ４００を取り外し、次いで操作口１１２内に気体を導入してチャンバ１３０内の空気圧を検出することができる。よって、チャンバ１３０の気密性が検出され得る。
【００４２】
本考案の例示的実施形態では、充電ソケットコネクタも提供される。充電ソケットコネクタは、上記で説明されたコネクタハウジングアセンブリと接続アセンブリ２００とを含む。接続アセンブリ２００は、接続端子２１０と、接続端子２１０に電気的に接続されたケーブル２２０とを含む。接続端子２１０はハウジング内に設置され、ケーブル２２０はハウジングから外に延びる。本考案の実施形態の充電ソケットコネクタは、単純な組立て工程と高い生産能力を有する。
【００４３】
本考案の代替実施形態として、コネクタハウジングアセンブリは、３つの接続アセンブリ２００を含む。無論、コネクタハウジングアセンブリが少なくとも１つの接続アセンブリ２００を含む限り、接続アセンブリ２００の数は実際の状況および要件に応じて適宜調節することができ、ここでは特に制限されない。
【００４４】
さらに、本考案の例示的実施形態では、図２および図６に示されるように、ケーブル２２０が第１のチャネル１１１に気密に接続され、接続端子２１０が第２のチャネル１２１に気密に接続され、これによりチャンバ１３０の気密性を確保し、水蒸気がチャンバ１３０に入るのを防止し、チャンバ１３０の内部コンポーネントを損傷から保護することができる。それは、コネクタハウジングアセンブリの寿命を実質的に向上させることができる。
【００４５】
さらに、本考案の例示的実施形態では、図２および図６に示されるように、接続端子２１０に近い方のケーブル２２０の端部が、第１の防水スリーブ２３０でスリーブ外装され、第１の防水スリーブ２３０は、第１のチャネル１１１の中に締まりばめされている。すなわち、第１の防水スリーブ２３０は、第１のチャネル１１１の内側壁に密に突き合わせられており、それによりケーブル２２０が封止され、第１のチャネル１１１内で接続される。ケーブル２２０に近い方の接続端子２１０の端部は、第２の防水スリーブ２４０でスリーブ外装され、第２の防水スリーブ２４０は第２のチャネル１２１の中に締まりばめされている。
すなわち、第２の防水スリーブ２４０は、第２のチャネル１２１の内側壁に密に突き合わせられており、それにより接続端子２１０が封止され、第２のチャネル１２１内で接続される。実際の状況および要件に応じて、ケーブル２２０および接続端子２１０は、他の方式で封止され、第１のチャネル１１１および第２のチャネル１２１にそれぞれ接続されてよく、ここでは特に制限されないことが理解できる。
【００４６】
当業者には、上記実施形態が例示であることを意図されており、制限的なものではないことが理解されるはずである。例えば、多数の変形が当業者によって上記実施形態に行われてよく、異なる実施形態において説明された様々な特徴は、構成または原理において矛盾することなく互いと自由に組み合わせられ得る。
【００４７】
いくつかの例示的実施形態が示され、説明されたが、当業者には、本開示の原理および主旨から逸脱することなくそれらの実施形態に様々な変更または変形が行われてよく、本開示の範囲は特許請求の範囲およびその相当箇所によって定められることが認識されるであろう。
【００４８】
本明細書で使用される場合、単数形で述べられ、前に単語「ａ」または「ａｎ」がある要素は、そのような除外が明示的に述べられる場合を除いて、複数の前記要素またはステップを除外しないと理解されるべきである。さらに、本考案の「一実施形態」の言及は、述べられるその特徴を同じく組み込んだ追加実施形態の存在を除外すると解釈されることは意図されない。さらに、反対のことが明示的に述べられない限り、特定の性質を有する１つの要素または複数の要素を「備える」または「有する」実施形態は、その性質を有さない追加のそのような要素を含み得る。
【符号の説明】
【００４９】
１００  ハウジング
１１０  カバー
１１１  第１のチャネル
１１２  操作口
１２０  ハウジング台座
１２１  第２のチャネル
１２２  段
１２３  ラッチスロット
１３０  チャンバ
２００  接続アセンブリ
２１０  接続端子
２１１  突合せ部
２２０  ケーブル
２３０  第１の防水スリーブ
２４０  第２の防水スリーブ
３００  ロック
３１０  ブロッキング構造
３２０  操作部
３２１  突出ブロック
３２２  スロット
３３０  端子回避孔
３４０  ラッチ
４００  ブラインドプラグ
【図１】
0003235194.tif 000003
【図２】
0003235194.tif 000004
【図３】
0003235194.tif 000005
【図４】
0003235194.tif 000006
【図５】
0003235194.tif 000007
【図６】
0003235194.tif 000008
【図７】
0003235194.tif 000009
【図８】
0003235194.tif 000010